(57)【要約】【課題】葉の一部に病斑が生じた場合、病斑のみを除去し葉を残すことで、植物の生育が悪くなるのを防止できる病斑除去器具を提供すること。【解決手段】病斑除去器具１は、互いに対面して配置され、互いに連結部３０において連結され、連結部３０を基端として先端側が互いに近接又は離間する第１腕部１０及び第２腕部２０を備えた。第１腕部１０には、第２腕部２０に向かって突出する突起部１１を設けた。第２腕部２０には、突起部１１が挿通可能な孔２１を形成した。突起部１１は、第１腕部１０及び第２腕部２０の先端側が互いに近接した場合に、孔２１に挿通する。【選択図】図１
2013247933.tif 000002
【特許請求の範囲】
【請求項１】
植物の葉に生じた病斑を除去する病斑除去器具であって、
互いに対面して配置される第１腕部及び第２腕部を備え、
前記第１腕部と前記第２腕部とは、互いに連結部において連結され、前記連結部を基端として先端側が互いに近接又は離間し、
前記第１腕部の先端側には、前記第２腕部に向かって突出する突起部が形成され、
前記第２腕部の先端側には、前記突起部が挿通可能な孔が形成され、
前記突起部は、前記第１腕部及び前記第２腕部の先端側が互いに近接した場合に、前記孔に挿通する病斑除去器具。
【請求項２】
前記突起部は、前記第１腕部の表面から立設し、前記第２腕部に向かって立ち上がり、所定の空間を囲う壁部材によって形成され、
前記壁部材の先端には、複数の刃が形成されている請求項１に記載の病斑除去器具。
【請求項３】
前記第１腕部には、形態が互いに異なる複数の前記突起部が形成され、
前記第２腕部には、複数の前記突起部が夫々挿通可能な複数の前記孔が形成される請求項２に記載の病斑除去器具。
【請求項４】
複数の前記突起部は、前記第１腕部において、前記先端側から前記基端側に向かって所定間隔で配置され、
互いに隣接する前記突起部は、前記基端側に配置された前記突起部における前記第１腕部の表面からの高さが、前記先端側に配置された前記突起部における前記高さより高く形成される請求項３に記載の病斑除去器具。
【請求項５】
前記所定の空間は、平面視における幅が、当該空間の中央部から端部に向かって狭くなる請求項２から４のいずれかに記載の病斑除去器具。
【請求項６】
前記第２腕部において、前記孔を覆い、前記第１腕部に対面する面の裏面に設けられ、除去された前記葉の病斑が生じた部分を収容する収容部を備える請求項１から５のいずれかに記載の病斑除去器具。
【発明の詳細な説明】
【技術分野】
【０００１】
本発明は、病斑除去器具に関し、特に、植物の葉に生じた病斑を除去する病斑除去器具に関する。
【背景技術】
【０００２】
野菜、草花等の植物の葉には、褐斑病、黒星病、炭そ病等の病気により、病斑が発生する場合がある。植物の葉に生じたこの病斑は、徐々に拡大し、葉を枯らす。この結果、植物の生育が悪くなる。
【０００３】
従来、上記の病気が起こった葉は、病気が周囲の葉に広がることを防止するため、枝ごと切断されていた。
このような枝を切断する器具として、２本の柄の先端に切刃が形成され、柄を開閉すると切刃も開閉するようにした植物栽培用はさみが提案されている（特許文献１を参照）。
【０００４】
この特許文献１の植物栽培用はさみによれば、２つの切刃の間に、病斑が生じた葉が伸びる枝を配置し、２本の柄を閉じることで、病斑が生じた葉を枝ごと除去できる。
【先行技術文献】
【特許文献】
【０００５】
【特許文献１】実開平６−３８４６３号公報
【発明の概要】
【発明が解決しようとする課題】
【０００６】
しかしながら、特許文献１の植物栽培用はさみを用いた場合は、病斑が生じた葉全体を枝ごと除去するしかない。このため、葉の一部に病斑が生じた場合でも、葉全体を除去するため、病斑を除去したにもかかわらず、植物の生育を悪くする場合もあった。
【０００７】
本発明は、葉の一部に病斑が生じた場合、病斑のみを除去し葉を残すことで、植物の生育が悪くなるのを防止できる病斑除去器具を提供することを目的とする。
【課題を解決するための手段】
【０００８】
（１）  植物の葉に生じた病斑を除去する病斑除去器具であって、互いに対面して配置される第１腕部及び第２腕部を備え、前記第１腕部と前記第２腕部とは、互いに連結部において連結され、前記連結部を基端として先端側が互いに近接又は離間し、前記第１腕部の先端側には、前記第２腕部に向かって突出する突起部が形成され、前記第２腕部の先端側には、前記突起部が挿通可能な孔が形成され、前記突起部は、前記第１腕部及び前記第２腕部の先端側が互いに近接した場合に、前記孔に挿通する病斑除去器具。
【０００９】
（１）の構成によれば、互いに対面して配置され、互いに連結部において連結され、連結部を基端として先端側が互いに近接又は離間する第１腕部及び第２腕部を備えた。第１腕部には、第２腕部に向かって突出する突起部を設けた。第２腕部には、突起部が挿通可能な孔を形成した。突起部は、第１腕部及び第２腕部の先端側が互いに近接した場合に、孔に挿通するように構成した。
【００１０】
このような構成により、使用者は、病斑除去器具を以下のように操作し、植物の葉に生じた病斑を除去する。
まず、使用者は、第１腕部及び第２腕部を把持し、第１腕部及び第２腕部の先端が離間した状態で、植物の葉のうち病斑が生じた部分周辺を突起部と孔との間に配置する。
そして、使用者は、第１腕部及び第２腕部を押圧して、第１腕部及び第２腕部の先端を近接させる。すると、病斑が生じた部分周辺は、突起部に押圧され、第２腕部に当接する。そして、使用者は、第１腕部及び第２腕部を押圧して、突起部を孔に挿通させる。すると、植物の葉のうち病斑が生じた部分周辺のみが、突起部と孔とにより切断される。
【００１１】
これにより、病斑が生じた部分周辺のみを除去し、葉自体を残すことができる。
したがって、葉の一部に病斑が生じた場合、病斑のみを除去し葉を残すことで、植物の生育が悪くなるのを防止できる。
【００１２】
（２）  前記突起部は、前記第１腕部の表面から立設し、前記第２腕部に向かって立ち上がり、所定の空間を囲う壁部材によって形成され、前記壁部材の先端には、複数の刃が形成されている（１）に記載の病斑除去器具。
【００１３】
（２）の構成によれば、突起部を、第１腕部の表面から立設し、第２腕部に向かって立ち上がり、所定の空間を囲う壁部材によって形成し、壁部材の先端に、複数の刃を形成した。
これにより、第１腕部及び第２腕部を押圧して、病斑が生じた部分周辺を、突起部に押圧し、第２腕部に当接させた段階で、複数の刃が葉に刺さるので、より容易に植物の葉のうち病斑が生じた部分周辺のみを除去できる。
【００１４】
（３）  前記第１腕部には、形態が互いに異なる複数の前記突起部が形成され、前記第２腕部には、複数の前記突起部が夫々挿通可能な複数の前記孔が形成される（２）に記載の病斑除去器具。
【００１５】
（３）の構成によれば、第１腕部に、形態が互いに異なる複数の突起部を形成し、第２腕部に、複数の突起部が夫々挿通可能な複数の孔を形成した。
これにより、形状や大きさが様々な病斑の形態に合わせ、複数の突起部のうちから病斑の形態に適した突起部を選択し、病斑を除去できるので、植物に与えるダメージを最小限に抑えることができる。
【００１６】
（４）  複数の前記突起部は、前記第１腕部において、前記先端側から前記基端側に向かって所定間隔で配置され、
互いに隣接する前記突起部は、前記基端側に配置された前記突起部における前記第１腕部の表面からの高さが、前記先端側に配置された前記突起部における前記高さより高く形成される（３）に記載の病斑除去器具。
【００１７】
（４）の構成によれば、複数の突起部において、互いに隣接する突起部は、基端側に配置された突起部の第１腕部の表面からの高さが、先端側に配置された突起部の高さより高く形成した。
このような構成により、使用者は、第１腕部及び第２腕部を押圧して、第１腕部及び第２腕部の先端を近接させる。すると、まず、第１腕部の基端側に配置された突起部が第２腕部に形成された孔に挿通する。この段階では、第１腕部の基端側に配置された突起部は第２腕部に形成された孔に挿通していない。
これにより、例えば、葉の縁近辺に生じた病斑の形態が、基端側に配置された突起部の形態に合っていた場合、当該病斑を基端側に配置された突起部と孔の間に配置し、第１腕部及び第２腕部を押圧して、基端側の突起部のみを孔に挿通させることで、当該病斑のみを除去し、葉の他の部分を先端側に配置された突起部により損傷させるのを防止できる。
【００１８】
（５）  前記所定の空間は、平面視における幅が、当該空間の中央部から端部に向かって狭くなる（２）から（４）のいずれかに記載の病斑除去器具。
【００１９】
（５）の構成によれば、突起部の壁部材に囲われる所定の空間は、平面視における幅が、当該空間の中央部から端部に向かって狭くなる。
ここで、植物の葉は、茎から先端に向かって徐々に幅が広がって形成されている。また、病斑は、葉の基端近辺に生ずる場合が多い。
このような場合、（５）の構成によれば、突起部における所定の空間の幅が狭い端部を、葉の基端側に配置し、第１腕部及び第２腕部を押圧して、当該病斑のみを除去することで、病斑が生じた部分のみを除去し、葉を茎に残すことができるので、植物に与えるダメージを最小限に抑えることができる。
【００２０】
（６）  前記第２腕部において、前記孔を覆い、前記第１腕部に対面する面の裏面に設けられ、除去された前記葉の病斑が生じた部分を収容する収容部を備える（１）から（５）のいずれかに記載の病斑除去器具。
【００２１】
（６）の構成によれば、収容部は、第２腕部の孔を覆い、第１腕部に対面する面の裏面に設けられ、除去された葉の病斑が生じた部分を収容する。
ここで、病斑の一例である褐斑病は、糸状菌によって起こる病気であり、この糸状菌が他の葉に接触すると、この他の葉にも病斑が生ずる。
このような場合、（６）の構成によれば、除去された葉の病斑が生じた部分は、収容部に収容されるので、この病斑が生じた部分が他の葉に接触することがなく、病斑が拡散するのを防止できる。
【発明の効果】
【００２２】
本発明によれば、葉の一部に病斑が生じた場合、病斑のみを除去し葉を残すことで、植物の生育が悪くなるのを防止できる病斑除去器具を提供できる。
【図面の簡単な説明】
【００２３】
【図１】本発明の一実施形態に係る病斑除去器具の斜視図である。
【図２】前記実施形態に係る病斑除去器具の斜視図である。
【図３】前記実施形態に係る突起部の平面図である。（ａ）は、前記実施形態に係る突起部の上面図である。（ｂ）及び（ｃ）は、前記実施形態に係る突起部の変形例の平面図である。
【図４】前記実施形態に係る病斑除去器具の側面図である。
【図５】前記実施形態に係る病斑除去器具の側面図である。
【図６】前記実施形態に係る病斑除去器具の使用方法を説明する図である。
【図７】本発明の一実施形態の応用例１に係る病斑除去器具の側面図である。
【図８】前記応用例１に係る病斑除去器具の側面図である。
【図９】本発明の一実施形態の応用例２に係る病斑除去器具の斜視図である。
【発明を実施するための形態】
【００２４】
〈実施形態〉
本発明の実施形態に係る病斑除去器具１の構成を図面に基づいて説明する。
図１は、本発明の一実施形態に係る病斑除去器具１の斜視図である。
【００２５】
病斑除去器具１は、植物の葉に生じた病斑を除去する器具である。
病斑除去器具１は、互いに対面して配置される第１腕部１０及び第２腕部２０と、第１腕部１０及び第２腕部２０を連結する連結部３０と、を備える。
第１腕部１０及び第２腕部２０は、平板状体で形成され、基端が連結部３０により連結されている。
なお、本実施形態において、第１腕部１０及び第２腕部２０は、平板状体で形成されているが、これに限らず、使用者が把持できる形状であれば、例えば、断面Ｕ字形状の板状体や柱状体等の任意の形状に形成してもよい。
【００２６】
連結部３０は、弾性変形可能な素材で形成され、第１腕部１０及び第２腕部２０と一体形成されている。
なお、本実施形態において、連結部３０は、第１腕部１０及び第２腕部２０と一体形成されているが、これに限らず、第１腕部１０及び第２腕部２０の先端を近接又は離間できる構成であれば、例えば、第１腕部１０及び第２腕部２０を互いに離間させる弾性体が配置されたヒンジで形成してもよい。
【００２７】
第１腕部１０の先端側には、第２腕部２０に向かって突出する突起部１１が形成されている。
第２腕部２０の先端側には、第１腕部１０及び第２腕部２０の先端が近接された場合に、突起部１１が挿通可能な孔２１が形成されている。
【００２８】
また、病斑除去器具１は、突起部及び孔を複数個設けてもよい。
図２は、前記実施形態に係る病斑除去器具１の斜視図である。図２に示す例において、病斑除去器具１は、突起部及び孔が３個ずつ設けられている。
【００２９】
第１腕部１０の先端側には、第２腕部２０に向かって突出する突起部１１，１２，１３が形成されている。
【００３０】
突起部１１は、第１腕部１０の表面から立設し、第２腕部２０に向かって立ち上がり、所定の空間を囲う円筒形状の壁部材１１ａによって形成されている。壁部材１１ａの先端には、複数の刃１１ｂが形成されている。
突起部１２は、第１腕部１０の表面から立設し、第２腕部２０に向かって立ち上がり、所定の空間を囲う円筒形状の壁部材１２ａによって形成されている。壁部材１２ａの先端には、複数の刃１２ｂが形成されている。
突起部１３は、第１腕部１０の表面から立設し、第２腕部２０に向かって立ち上がり、所定の空間を囲う円筒形状の壁部材１３ａによって形成されている。壁部材１３ａの先端には、複数の刃１１ｂが形成されている。
【００３１】
突起部１１，１２，１３は、第１腕部１０の先端側から基端側に向かって、所定間隔で配置されている。また、突起部１１，１２，１３は、形態が互いに異なる。具体的には、壁部材１１ａ，１２ａ，１３ａは互いに内径が異なり、壁部材１１ａ，１２ａ，１３ａの順に徐々に内径が小さく形成されている。
なお、本実施形態において、突起部１１，１２，１３は、円筒形状の壁部材１１ａ，１２ａ，１３ａで形成したが、これに限らず、例えば、円柱状体や断面矩形状の壁部材等で形成してもよい。
【００３２】
例えば、突起部１１の平面視の形状、即ち、壁部材１１ａによって囲われる空間の平面視の形状は、中央部から端部に向かって狭くなるように形成されていれば、任意の形状とすることができる。
図３は、前記実施形態に係る突起部の平面図である。（ａ）は、前記実施形態に係る突起部１１の平面図である。（ｂ）及び（ｃ）は、前記実施形態に係る突起部１１の変形例の平面図である。
図３（ａ）に示すように、突起部１１は、平面視円形状に形成されている。
図３（ｂ）に示すように、一変形例である突起部１１’は、平面視水滴形状に形成されている。
図３（ｃ）に示すように、一変形例である突起部１１’’は、平面視菱形形状に形成されている。
【００３３】
このように、突起部１１の壁部材１１ａに囲われる所定の空間において、平面視における幅を、当該空間の中央部から端部に向かって狭くした。これにより、突起部１１における所定の空間の幅が狭い端部を、葉の基端側に配置し、第１腕部１０及び第２腕部２０を押圧して、当該病斑のみを除去することで、病斑が生じた部分のみを除去し、葉を茎に残すことができるので、植物に与えるダメージを最小限に抑えることができる。
【００３４】
また、本実施形態において、突起部の数は、３つとしたが、これに限らず、任意の数とすることができる。また、本実施形態において、壁部材１１ａ，１２ａ，１３ａの先端に複数の刃１２ｂを形成したが、これに限らず、壁部材の先端全体で１つの刃を形成してもよく、また、刃を形成しなくともよい。
【００３５】
第２腕部２０の先端側には、第１腕部１０及び第２腕部２０の先端が近接された場合に、突起部１１が挿通可能な孔２１、突起部１２が挿通可能な孔２２、突起部１３が挿通可能な孔２３が形成されている。
【００３６】
孔２１，２２，２３は、円形状に形成されている。孔２１の内径は、突起部１１の壁部材１１ａの外径より僅かに大きい寸法で形成されている。孔２２の内径は、突起部１２の壁部材１２ａの外径より僅かに大きい寸法で形成されている。孔２３の内径は、突起部１３の壁部材１３ａの外径より僅かに大きい寸法で形成されている。
【００３７】
孔２１，２２，２３は、第２腕部２０の先端側から基端側に向かって、所定間隔で配置されている。また、孔２１，２２，２３は、形態が互いに異なる。具体的には、孔２１，２２，２３は互いに内径が異なり、孔２１，２２，２３の順に徐々に内径が小さく形成されている。
なお、本実施形態において、孔２１，２２，２３は、円形状に形成したが、これに限らず、突起部１１，１２，１３の外径より僅かに大きい形状であれば、例えば、矩形形状に形成してもよい。また、本実施形態において、孔の数は、３つとしたが、これに限らず、突起部の数に合わせ、任意の数とすることができる。
【００３８】
次に、本発明の実施形態に係る病斑除去器具１の動作を図面に基づいて説明する。
図４及び図５は、前記実施形態に係る病斑除去器具１の側面図である。図４は、第１腕部１０及び第２腕部２０が押圧されていない状態を示し、第１腕部１０及び第２腕部２０の先端側が離間した状態を示している。図５は、第１腕部１０及び第２腕部２０が押圧された状態を示し、第１腕部１０及び第２腕部２０の先端側が近接した状態を示している。
【００３９】
病斑除去器具１は、図４に示す状態から、第１腕部１０及び第２腕部２０が押圧されると連結部３０が弾性変形し、図５に示す状態となる。このとき、第１腕部１０の突起部１１は第２腕部２０の孔２１に挿通され、第１腕部１０の突起部１２は第２腕部２０の孔２２に挿通され、第１腕部１０の突起部１３は第２腕部２０の孔２３に挿通される。
【００４０】
次に、本発明の実施形態に係る病斑除去器具１の使用方法を図面に基づいて説明する。
図６は、前記実施形態に係る病斑除去器具１の使用方法を説明する図である。
まず、使用者は、手５０で第１腕部１０及び第２腕部２０を把持し、第１腕部１０及び第２腕部２０の先端が離間した状態で、植物の葉６０のうち病斑６１が生じた部分周辺を、病斑の形態に合う、例えば、突起部１１と孔２１との間に配置する。
そして、使用者は、第１腕部１０及び第２腕部２０を押圧して、第１腕部１０及び第２腕部２０の先端を近接させる。すると、病斑６１が生じた部分周辺は、突起部１１に押圧され、第２腕部２０に当接する。そして、使用者は、第１腕部１０及び第２腕部２０を押圧して、突起部１１を孔２１に挿通させる。すると、植物の葉６０のうち病斑６１が生じた部分周辺のみが、突起部１１と孔２１とにより切断される。
【００４１】
次に、本発明の実施形態に係る病斑除去器具１の作用効果を説明する。
病斑除去器具１によれば、互いに対面して配置され、互いに連結部３０において連結され、連結部３０を基端として先端側が互いに近接又は離間する第１腕部１０及び第２腕部２０を備えた。第１腕部１０には、第２腕部２０に向かって突出する突起部１１，１２，１３を設けた。第２腕部２０には、突起部１１が挿通可能な孔２１，２２，２３を形成した。突起部１１，１２，１３は、第１腕部１０及び第２腕部２０の先端側が互いに近接した場合に、孔２１，２２，２３に挿通するように構成した。
これにより、病斑が生じた部分周辺のみを除去し、葉自体を残すことができる。
したがって、葉の一部に病斑が生じた場合、病斑のみを除去し葉を残すことで、植物の生育が悪くなるのを防止できる。
【００４２】
また、病斑除去器具１によれば、突起部１１，１２，１３を、第１腕部１０の表面から立設し、第２腕部２０に向かって立ち上がり、所定の空間を囲う壁部材１１ａ，１２ａ，１３ａによって形成し、壁部材１１ａ，１２ａ，１３ａの先端に、複数の刃１１ｂ，１２ｂ，１３ｂを形成した。
これにより、第１腕部１０及び第２腕部２０を押圧して、病斑が生じた部分周辺を、例えば、突起部１１に押圧し、第２腕部２０に当接させた段階で、複数の刃１１ｂが葉に刺さるので、より容易に植物の葉のうち病斑が生じた部分周辺のみを除去できる。
【００４３】
また、病斑除去器具１によれば、第１腕部１０に、形態が互いに異なる突起部１１，１２，１３を形成し、第２腕部２０に、突起部１１，１２，１３が夫々挿通可能な孔２１，２２，２３を形成した。
これにより、形状や大きさが様々な病斑の形態に合わせ、複数の突起部のうちから病斑の形態に適した突起部を選択し、病斑を除去できるので、植物に与えるダメージを最小限に抑えることができる。
【００４４】
〈応用例１〉
次に、本発明の実施形態の応用例１に係る病斑除去器具１Ａの構成を図面に基づいて説明する。
応用例１に係る病斑除去器具１Ａは、互いに隣接する突起部に高さが互いに異なる点が上記実施形態と異なる。
図７及び図８は、本発明の一実施形態の応用例１に係る病斑除去器具１Ａの側面図である。
【００４５】
病斑除去器具１Ａは、互いに対面して配置される第１腕部１０Ａ及び第２腕部２０Ａと、第１腕部１０Ａ及び第２腕部２０Ａを連結する連結部３０と、を備える。
【００４６】
第１腕部１０Ａには、第２腕部２０Ａに向かって突出し、第１腕部１０Ａの先端側から基端側に向かって順に所定間隔で配置された突起部１１Ａ及び１２Ａが形成されている。
第２腕部２０Ａには、第１腕部１０Ａ及び第２腕部２０Ａの先端が近接された場合に、突起部１１Ａが挿通可能な孔２１Ａ、突起部１２Ａが挿通可能な孔２２Ａが形成されている。
おな、連結部３０の構成は上記説明したとおりであるので、説明を省略する。
【００４７】
突起部１１Ａより第１腕部１０Ａの基端側に配置された突起部１２Ａの第１腕部１０Ａの表面からの高さは、突起部１１Ａの第１腕部１０Ａの表面からの高さより高く形成されている。
なお、本応用例１において、突起部の数量を２つとしているが、これに限らず、例えば、３つ等の任意の複数の数量とすることができる。
【００４８】
次に、本発明の実施形態の応用例１に係る病斑除去器具１Ａの作用効果を図面に基づいて説明する。
図７は、第１腕部１０Ａ及び第２腕部２０Ａが押圧されていない状態を示し、第１腕部１０Ａ及び第２腕部２０Ａの先端側が離間した状態を示している。図８は、第１腕部１０Ａ及び第２腕部２０Ａが途中まで押圧された状態を示し、第１腕部１０Ａ及び第２腕部２０Ａの先端側が近接し、突起部１２Ａのみが孔２２Ａに挿通した状態を示している。
【００４９】
例えば、葉の縁近辺に生じた病斑の形態が、基端側に配置された突起部１２Ａの形態に合っていた場合、図８に示すように、使用者は、当該病斑を突起部１２Ａと孔２２Ａの間に配置し、突起部１２Ａを孔２２Ａに挿通させ、かつ、突起部１１Ａが孔２１Ａに挿通しない位置まで第１腕部１０Ａ及び第２腕部２０Ａを押圧する。
これにより、当該病斑のみを除去し、葉の他の部分を突起部１１Ａにより損傷させるのを防止できる。
【００５０】
〈応用例２〉
次に、本発明の実施形態の応用例２に係る病斑除去器具１Ｂの構成を図面に基づいて説明する。
応用例２に係る病斑除去器具１Ｂは、除去された葉の病斑が生じた部分を収容する収容部４０を備える点が上記実施形態と異なる。
図９は、前記実施形態の応用例２に係る病斑除去器具１Ｂの斜視図である。
【００５１】
病斑除去器具１Ｂは、互いに対面して配置される第１腕部１０及び第２腕部２０と、第１腕部１０及び第２腕部２０を連結する連結部３０と、第２腕部２０において、第１腕部１０に対面する面の裏面に設けられた収容部４０と、を備える。
【００５２】
収容部４０は、第２腕部２０に固定され、第２腕部２０の孔２１の外径より大きい内径で形成された穴４１ａが形成された基台４１と、基台４１と着脱自在に係合し、基台４１と係合することで収容空間４０ａを形成するカバー４２と、を備える。
【００５３】
収容部４０は、基台４１の穴４１ａの中心に、第２腕部２０の孔２１が配置された状態で第２腕部２０に設けられる。即ち、収容部４０は、第２腕部において、孔２１を覆うように設けられる。
【００５４】
応用例２に係る病斑除去器具１Ｂによれば、収容部４０は、第２腕部２０の孔２１を覆い、第１腕部１０に対面する面の裏面に設けられ、除去された葉の病斑が生じた部分を収容する。
これにより、除去された葉の病斑が生じた部分は、収容部に収容されるので、この病斑が生じた部分が他の葉に接触することがなく、病斑が拡散するのを防止できる。
【００５５】
なお、本発明は前記実施形態に限定されるものではなく、本発明の目的を達成できる範囲での変形、改良等は本発明に含まれるものである。
【符号の説明】
【００５６】
１    病斑除去器具
１０,１０Ａ  第１腕部
１１,１２，１３，１１Ａ，１２Ａ  突起部
２０,２０Ａ  第２腕部
２１,２２，２３，２１Ａ，２２Ａ  孔
３０  連結部
【図１】
2013247933.tif 000003
【図２】
2013247933.tif 000004
【図３】
2013247933.tif 000005
【図４】
2013247933.tif 000006
【図５】
2013247933.tif 000007
【図６】
2013247933.tif 000008
【図７】
2013247933.tif 000009
【図８】
2013247933.tif 000010
【図９】
2013247933.tif 000011